(57)【要約】【課題】室内温度に応じて舞い上がり抑止を目的とするために吹出し温度を抑えて床面への到達性を向上させつつ、できるだけ早く温風を吹出す空気調和機を提供する。【解決手段】室内温度を検知し出力する室内温度検出手段と、室内設定温度を記憶する室内設定温度記憶手段と、室内温度と室内設定温度とを比較する第１の比較手段と、圧縮機運転周波数を検知し出力する圧縮機運転周波数検出手段と、室内配管温度を記憶する室内配管温度検出手段と、室内配管設定温度を記憶する室内配管設定温度記憶手段と、室内配管温度と室内配管設定温度とを比較する第２の比較手段とを有し、運転開始時の所定の期間に、第１の比較手段の出力結果と第２の比較手段の出力結果とから、前記所定の期間以外の時間の場合より圧縮機運転周波数を所定周波数だけ低くして運転する。【選択図】図１
2020153576.tif 000002
【特許請求の範囲】
【請求項１】
室内温度を検知し出力する室内温度検出手段と、室内設定温度を記憶する室内設定温度記憶手段と、前記室内温度と前記室内設定温度とを比較する第１の比較手段と、圧縮機運転周波数を検知し出力する圧縮機運転周波数検出手段と、室内配管温度を記憶する室内配管温度検出手段と、室内配管設定温度を記憶する室内配管設定温度記憶手段と、前記室内配管温度と前記室内配管設定温度とを比較する第２の比較手段と、を有し、暖房運転開始からの所定の期間に、第１の比較手段の出力結果と第２の比較手段の出力結果とから、前記所定の期間以外の場合より圧縮機運転周波数を所定周波数だけ低くして運転する圧縮機運転周波数出力手段を有することを特徴とする空気調和機。
【請求項２】
前記圧縮機運転周波数出力手段は前記圧縮機運転周波数判定手段の出力に基づく圧縮機運転周波数の低下割合を、変化させて出力する請求項１記載の空気調和機。
【発明の詳細な説明】
【技術分野】
【０００１】
本開示は、空気調和機に関する。
【背景技術】
【０００２】
特許文献１は、配管温度に応じて段の回転数を変化させる空気調和機を開示する。この空気調和機は、配管温度検出手段と、設定風量検出手段と、風量調整範囲決定手段とを備える。
【先行技術文献】
【特許文献】
【０００３】
【特許文献１】特開２００５−１４７６１４号公報
【発明の概要】
【発明が解決しようとする課題】
【０００４】
本開示は、暖房時の運転開始の際に室内温度が上昇できていな時に、吹出温度が高温となって風が舞い上がり室内温度が温まりにくいことが無く、早期に暖風を吹出すことができる空気調和機を提供する。
【課題を解決するための手段】
【０００５】
本開示における空気調和機は、室内温度を検知し出力する室内温度検出手段と、室内設定温度を記憶する室内設定温度記憶手段と、室内温度と室内設定温度とを比較する第１の比較手段と、圧縮機運転周波数を検知し出力する圧縮機運転周波数検出手段と、室内配管温度を記憶する室内配管温度検出手段と、室内配管設定温度を記憶する室内配管設定温度記憶手段と、室内配管温度と室内配管設定温度とを比較する第２の比較手段と、を有し、運転開始時の所定の期間に、第１の比較手段の出力結果と第２の比較手段の出力結果とから、所定の期間以外の時間の場合より圧縮機運転周波数を所定周波数だけ低くして運転する圧縮機運転周波数出力手段を備える。
【発明の効果】
【０００６】
本開示における空気調和機は、室内空間の温度に応じて吹出し温度を制御し室内空間温度を早く上げることを可能とし、舞い上がりを抑制することで床面への到達性を向上させることが出来る。
【図面の簡単な説明】
【０００７】
【図１】実施の形態における吹出温度制御を示すブロック図
【図２】実施の形態における第１制御を示すフローチャート
【図３】実施の形態における第１制御を示す特性図
【図４】実施の形態における第２制御を示す特性図
【発明を実施するための形態】
【０００８】
（本開示の基礎となった知見等）
発明者らが本開示に想到するに至った当時、空気調和機の暖房時の吹出し風の制御技術については、次のような状況であった。
【０００９】
すなわち、室内機の配管温度を検出し、その配管温度の高低に応じて室内送風機の回転数を増減する、というものである。つまり、室内機の配管温度が高いときには送風機の回転数を高めにし、室内機の配管温度が低いときには送風機の回転数を低めにするものである。
【００１０】
こうした状況下において、発明者らは、単に配管温度の高低に応じて送風機の回転数を決めていては運転開始時において課題が生じる可能性があることを見出した。
【００１１】
すなわち、暖房の運転開始時は室内の被空調空間の空気温度が低い場合が多く、その環境のもとで十分に温かい風を吹出した際、被空調空間の空気温度と吹出温度との差異が大きく、吹出風の浮力が大きくなって舞い上がり、足許まで温風を到達させることができない、という課題である。この課題を解決するために、本開示の主題を構成するに至った。
【００１２】
そこで、本開示は、室内温度と室内設定温度とを比較する第１の比較手段と、圧縮機運転周波数検出手段と、室内配管温度と室内配管設定温度とを比較する第２の比較手段と、を有し、運転開始時の所定の期間に、第１の比較手段の出力結果と第２の比較手段の出力結果とから、前記所定の期間以外の時間の場合より圧縮機運転周波数を所定周波数だけ低くして運転する圧縮機運転周波数出力手段を有する空気調和機を提供する。
【００１３】
以下、図面を参照しながら実施の形態を詳細に説明する。但し、必要以上に詳細な説明は省略する場合がある。例えば、既によく知られた事項の詳細説明、または実質的に同一の構成に対する重複説明を省略する場合がある。
【００１４】
なお、添付図面および以下の説明は、当業者が本開示を十分に理解するために提供されるのであって、これらにより特許請求の範囲に記載の主題を限定することを意図していない。
【００１５】
（実施の形態１）
以下、図１〜４を用いて、実施の形態１を説明する。
【００１６】
図１は実施の形態１に係るブロック図である。
同図において、室内温度を室内温度検出手段１により検知し、室内設定温度記憶手段２に室内設定温度を記憶し、これらを第１の比較手段３で比較する。
また、圧縮機運転周波数を圧縮機運転周波数検出手段４により検知し、室内配管温度を室内配管温度検出手段５により検知し、室内配管設定温度を室内配管設定温度記憶手段６に記憶し、これらを比較する第２の比較手段７で比較し、第１、２の比較手段３、７と圧縮機運転周波数検出手段４の出力を受け、室内温度と室内設定温度の温度差が所定値以上の場合に室内配管温度の値により圧縮機周波数を可変させるように圧縮機運転周波数出力手段９を制御する圧縮機運転周波数判定手段８を有し、運転周波数出力手段９はこの圧縮機運転周波数判定手段８の出力に基づいて圧縮機運転周波数を可変させる。
【００１７】
次に、実施の形態１における制御動作を、図２のフローチャートを用いて、図３の室内配管温度Ｔと圧縮機運転周波数Ｆの関係を参照しながら説明する。
同図において、暖房時の運転時（Ｓ１０１）に、室内吸込温度ｔと圧縮機運転周波数Ｆと室内配管温度Ｔを検知し（Ｓ１０２、Ｓ１０３、Ｓ１０４）、室内吸込温度ｔと設定温度ｔ’との温度差（Ｓ１０５）が所定温度α以上ある場合に、室内温度を室内設定温度ｔ’にするために室内配管温度Ｔを向上させるために圧縮機運転周波数Ｆを上げ（Ｓ１０６、Ｓ１０７）、空気調和機を運転する。
【００１８】
そして、図３に示すように室内配管温度Ｔが所定値Ｔ１を超えると圧縮機運転周波数Ｆを減少させてＦ’とし（Ｆ＞Ｆ’）、室内配管温度Ｔが所定値Ｔ１より低い室内配管温度Ｔ１’になると、圧縮機運転周波数を元のＦに戻す制御を行う。図３は暖房の立上り時の、圧縮機の周波数が急激に上昇している場面に適用されるものである。
【００１９】
この制御を実施することにより、暖房立上り時の低い周囲温度よりも室内配管温度Ｔが余りに高温度になるのを抑制し、空気調和機の吹出温度を低めにして、吹出風が舞い上がるのを抑制することができる。
【００２０】
次に、実施の形態１における通常暖房運転時（立上り運転時を除く運転時であり、比較的安定している状態）の制御動作を、図４の室内配管温度Ｔと圧縮機運転周波数Ｆの関係を参照しながら説明する。
同図に示すように、室内吸込温度ｔと圧縮機運転周波数Ｆと室内配管温度Ｔを検知し、室内吸込温度ｔと設定温度ｔ’との温度差が所定値α以上ある場合に、室内温度を室内設定温度ｔ’にするために室内配管温度Ｔを向上させるために圧縮機運転周波数Ｆを上げ、空気調和機を運転する。
【００２１】
そして、図４における室内配管温度Ｔ１を超えると、圧縮機運転周波数Ｆの値を下げ、Ｆ１にする。
【００２２】
さらに、図４における室内配管温度Ｔ２を超えると圧縮機運転周波数Ｆの値を下げ、Ｆ２にする。
【００２３】
さらに、図４における室内配管温度Ｔ３を超えると圧縮機運転周波数Ｆの値を下げ、Ｆ３にする。
【００２４】
このように通常暖房運転時は、図４の制御データに基づいて室内配管温度Ｔの値に応じて圧縮機運転周波数Ｆを変化させ、室内配管温度Ｔを一定に保つように空気調和機を運転する。
【００２５】
これにより室内配管温度を一定に保ち、空気調和機の吹出温度を一定に保つことが可能となる。
【００２６】
なお、上記の説明の中で使用した各パラメータの例は以下の通りである。
α＝１４、Ｔ１＝４４℃、Ｔ２＝４５℃、Ｔ３＝４６℃、Ｔ１’＝４３．５℃、Ｔ２’＝４４．５℃、Ｔ３’＝４５．５℃、Ｆ＝８０Ｈｚ、Ｆ’＝５０Ｈｚ、Ｆ０＞８０Ｈｚ、Ｆ１＝７０Ｈｚ、Ｆ２＝６０Ｈｚ、Ｆ３＝５５Ｈｚ。
【００２７】
また、暖房立上り時の所定の期間の例は、２０分である。
【産業上の利用可能性】
【００２８】
本開示は、暖房運転立上り時の温風の舞い上がりを抑制することで床面への到達性を向上させることが出来るので、壁掛け型空気調和機に限らず、天井埋込み型空気調和機やダクト式空気調和機にも適用可能である。
【符号の説明】
【００２９】
１  室内温度検出手段
２  室内設定温度記憶手段
３  第１の比較手段
４  圧縮機運転周波数検出手段
５  室内配管温度検出手段
６  室内配管設定温度記憶手段
７  第２の比較手段
８  圧縮機運転周波数判定手段
９  圧縮機運転周波数出力手段
【図１】
2020153576.tif 000003
【図２】
2020153576.tif 000004
【図３】
2020153576.tif 000005
【図４】
2020153576.tif 000006